(57)【要約】【課題】被写体の撮像に関する信頼性低下の抑制を図ること。【解決手段】遮光部材７は、インターホン装置１におけるレンズ３０１の少なくとも一部の領域に対して、遮光する遮光範囲を変更可能に構成されている。インターホン装置１は、器体Ａ１と、器体Ａ１から露出するように配置された上記のレンズ３０１を有する撮像部３０と、を備える。【選択図】図１０
2019087898.tif 000002
【特許請求の範囲】
【請求項１】
器体と、前記器体から露出するように配置されたレンズを有する撮像部と、を備えるインターホン装置における前記レンズの少なくとも一部の領域に対して、遮光する遮光範囲を変更可能に構成されている
遮光部材。
【請求項２】
鍔状に形成された構造体である
請求項１に記載の遮光部材。
【請求項３】
前記構造体は、前記器体に着脱可能に固定される固定部を有している
請求項２に記載の遮光部材。
【請求項４】
前記器体は、前記レンズを保持する筐体と、前記筐体の前面を覆うように配置されるパネルとを備え、
前記固定部が固定される被固定部は、前記筐体又は前記パネルに設けられている
請求項３に記載の遮光部材。
【請求項５】
前記器体は、前記レンズを保持する筐体と、前記筐体の前面を覆うように配置されるパネルとを備え、
前記固定部は、前記筐体と前記パネルとで挟持される
請求項３に記載の遮光部材。
【請求項６】
前記構造体は、前記器体に対して可動に構成されている
請求項２〜５のいずれか１項に記載の遮光部材。
【請求項７】
貼付部材である
請求項１に記載の遮光部材。
【請求項８】
請求項１〜７のいずれか１項に記載の遮光部材と、前記器体と、前記撮像部と、を備える
インターホン装置。
【請求項９】
器体と、前記器体から露出するように配置されたレンズを有する撮像部と、を備えるインターホン装置であって、
前記器体は、前記レンズの少なくとも一部の領域に対して遮光する遮光範囲を変更可能な遮光部材が着脱可能に固定される被固定部を有している
インターホン装置。
【請求項１０】
請求項８又は９に記載のインターホン装置と、前記インターホン装置と通話可能な通話装置と、を備える
インターホンシステム。
【発明の詳細な説明】
【技術分野】
【０００１】
本発明は、一般に、遮光部材、インターホン装置、及びインターホンシステムに関し、より詳細には、インターホン装置に用いられる遮光部材、当該インターホン装置、及び当該インターホン装置を備えたインターホンシステムに関する。
【背景技術】
【０００２】
従来例として、特許文献１に記載のインターホン装置の玄関子機を例示する。この玄関子機は、前ケースと後ケースとを組み立ててなる本体ケース内にカメラを内蔵しているとともに、スピーカ部や呼出ボタン、マイク部等を、備えている。そして、玄関子機は、居室内に設置された親機との間で通話可能に構成されている。また、通話時には、カメラにて来訪者等を撮像し、当該撮像データを親機へ送信可能となっている。
【先行技術文献】
【特許文献】
【０００３】
【特許文献１】特開２００８−２０５９３４号公報
【発明の概要】
【発明が解決しようとする課題】
【０００４】
ところで、特許文献１に記載の玄関子機は、例えばマンション等の集合住宅に適用される場合がある。また、例えば集合住宅の共用廊下の天井には、照明器具が設置されている場合がある。
【０００５】
玄関子機のカメラが来訪者を撮像するとき、例えば照明器具（光源）が来訪者の頭上又はその近傍に位置していると、照明器具から放射される光に起因して、カメラのレンズ内面での再反射によって起こる、いわゆるレンズフレアが発生する可能性があった。つまり、照明器具からの光による複数の粒状の像が、被写体（来訪者）の像（特に、顔周辺部分）と重なって写ってしまい、親機を利用する居住者にとっては、来訪者の顔が見難くなるという可能性があった。
【０００６】
本発明は上記事由に鑑みてなされ、被写体の撮像に関する信頼性低下の抑制を図ることができる遮光部材、インターホン装置、及びインターホンシステムを提供することを目的とする。
【課題を解決するための手段】
【０００７】
本発明の一態様に係る遮光部材は、器体と、前記器体から露出するように配置されたレンズを有する撮像部と、を備えるインターホン装置における前記レンズの少なくとも一部の領域に対して、遮光する遮光範囲を変更可能に構成されている。
【０００８】
本発明の一態様に係るインターホン装置は、上記の遮光部材と、前記器体と、前記撮像部と、を備える。
【０００９】
本発明の一態様に係るインターホン装置は、器体と、前記器体から露出するように配置されたレンズを有する撮像部と、を備える。前記器体は、前記レンズの少なくとも一部の領域に対して遮光する遮光範囲を変更可能な遮光部材が着脱可能に固定される被固定部を有している。
【００１０】
本発明の一態様に係るインターホンシステムは、上記のいずれかのインターホン装置と、当該インターホン装置と通話可能な通話装置と、を備える。
【発明の効果】
【００１１】
本発明は、被写体の撮像に関する信頼性低下の抑制を図ることができる、という利点がある。
【図面の簡単な説明】
【００１２】
【図１】図１は、一実施形態に係るインターホン装置、及びスイッチボックスの斜視図であって、当該インターホン装置の化粧パネルが取り外された状態を示す図である。
【図２】図２Ａは、同上のインターホン装置の正面図であり、図２Ｂは、同上のインターホン装置の下面図である。
【図３】図３は、一実施形態に係るインターホンシステムの概略構成図である。
【図４】図４は、同上のインターホン装置の上方から見た分解斜視図である。
【図５】図５は、同上のインターホン装置の下方から見た分解斜視図である。
【図６】図６は、同上のインターホン装置の背面図である。
【図７】図７は、同上のインターホン装置の正面図であって、化粧パネル及びカバーの図示を省略した図である。
【図８】図８は、図１のＸ−Ｘ線断面図である。
【図９】図９は、図１のＹ−Ｙ線断面図である。
【図１０】図１０は、同上のインターホン装置における遮光部材を含む要部斜視図である。
【図１１】図１１は、同上の遮光部材が設けられていない場合におけるレンズフレアを説明するための図である。
【図１２】図１２Ａ及び図１２Ｂは、同上の遮光部材の変形例１を備えるインターホン装置の要部斜視図である。
【図１３】図１３Ａ及び図１３Ｂは、同上の遮光部材の変形例２の平面図である。
【図１４】図１４Ａ及び図１４Ｂは、同上の遮光部材の別の変形例２の平面図である。
【図１５】図１５Ａ及び１５Ｂは、同上の遮光部材の変形例３を備えるインターホン装置の要部斜視図である。
【図１６】図１６は、同上の遮光部材の変形例４を備えるインターホン装置の要部斜視図である。
【発明を実施するための形態】
【００１３】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図１６は、模式的な図であり、図１〜図１６中の各構成要素の大きさや厚さそれぞれの比が必ずしも実際の寸法比を反映しているとは限らない。
【００１４】
以下では、本実施形態のインターホン装置１の上下、左右、前後の方向を、図１、図４及び図５に図示されている上下、左右、前後の矢印を用いて規定して説明する。これらの矢印は、単に説明を補助する目的で記載しているに過ぎず、実体を伴わない。また、これらの方向は、インターホン装置１の使用方向を限定する趣旨ではない。
【００１５】
本実施形態の遮光部材７は、インターホン装置１に適用されるものである。インターホン装置１は、図１０に示すように、器体Ａ１と、器体Ａ１から露出するように配置されたレンズ３０１を有する撮像部３０（図３参照）と、を備える。本実施形態の器体Ａ１は、一例として、筐体２と化粧パネル５とから構成されている。
【００１６】
そして、遮光部材７は、インターホン装置１におけるレンズ３０１の少なくとも一部の領域に対して、遮光する遮光範囲を変更可能に構成されている。ここで言う「遮光範囲を変更可能」は、インターホン装置１に対する遮光部材７の取り付け及び取り外しによって遮光範囲が変わる場合と、遮光部材７がインターホン装置１に対して可動であり、遮光部材７の変位により遮光範囲が変わる場合との両方を含む。
【００１７】
この構成によれば、例えばインターホン装置１の近傍に照明器具５０２（図１１参照）が設置されている場合であっても、遮光部材７によって、照明器具５０２から放射される光に起因するレンズフレアの発生を抑制することができる。したがって、被写体（来訪者Ｍ１等）の撮像に関する信頼性低下の抑制を図ることができる。
【００１８】
本実施形態のインターホン装置１は、一例として、遮光部材７を、構成要素として備えている。ただし、遮光部材７は、必須の構成要素ではなく、インターホン装置１は、遮光部材７を備えておらず、遮光部材７が固定されるための被固定部７０Ｂを備えるだけであってもよい。
【００１９】
なお、器体Ａ１の筐体２は、図１に示すように、筐体２をスイッチボックス２００Ａに固定するための一対の第１貫通孔２１を有している。本実施形態では、スイッチボックス２００Ａは、一例として、ＪＩＳ  Ｃ  ８４３５における１個用のスイッチボックスの規格を満たすものであり、図１に示すように、壁面５００に埋め込み配置されたものであることを想定している。また、筐体２は、壁面５００に埋め込み配置される２個用、及び３個用のスイッチボックスに固定するための４つの第２貫通孔２２、及び４つの第３貫通孔２３を有している。ただし、筐体２の固定対象は、スイッチボックスに限定されず、造営材（例えば壁材）に固定されてもよい。例えば、筐体２は、木ねじ等で壁面に直接固定されてもよい。
【００２０】
（２）詳細
（２．１）全体構成
以下、本実施形態の遮光部材７を備えるインターホン装置１、及びインターホン装置１を備えるインターホンシステム１００の全体構成について説明する。本実施形態では、一例として、インターホンシステム１００が、マンション等の集合住宅に適用される集合住宅用のインターホンシステムであることを想定する。また、本実施形態では、一例として、レンズフレアの起因となる光源が、集合住宅における共用廊下の天井５０１（図１１参照）に設置されている照明器具５０２であることを想定する。しかし、特に限定されるものではない。インターホンシステム１００の適用対象は、例えば、戸建住宅であってもよいし、工場、病院、オフィスビル等の非住宅であってもよい。インターホンシステム１００の適用対象が例えば戸建住宅の場合、レンズフレアの起因となる光源は、戸建住宅近くに設置されている街路灯であってもよい。
【００２１】
インターホンシステム１００は、図３に示すように、インターホン装置１、及び、伝送路Ｓ１を介してインターホン装置１と通話可能な通話装置１０を備えている。
【００２２】
ここでは、インターホン装置１が、一例として、集合住宅の各住戸の外玄関に設置されているインターホン子機（ドアホン子機）であることを想定する。また、通話装置１０は、一例として、対応する住戸の居室内に設置されたインターホン親機であることを想定する。インターホンシステム１００は、集合住宅のロビーに設置される共用端末であるロビーインターホン（不図示）を更に備えてもよい。ロビーインターホンは、例えば、幹線を通じて各住戸のインターホン親機である通話装置１０と通話可能である。なお、インターホン装置１の遮光部材７及び器体Ａ１の構造は、インターホン親機である通話装置１０に適用されてもよいし、ロビーインターホンに適用されてもよい。インターホン装置１の遮光部材７及び器体Ａ１の構造がロビーインターホンに適用される場合、レンズフレアの起因となる光源は、ロビーの天井に設置されている照明器具であってもよい。
【００２３】
（２．２）インターホン装置
以下、インターホン装置１について説明する。インターホン装置１は、上の「（１）概要」の欄で説明したように、筐体２及び化粧パネル５から構成された器体Ａ１と、遮光部材７と、を備えている。また、インターホン装置１は、通話部３（図３参照）と、矩形板状の基板４と、を備えている。また、インターホン装置１は、端子ブロック６と、機能部９１と、を有している。筐体２及び化粧パネル５と基板４と遮光部材７については、この欄では説明を省略して、後の欄で詳しく説明する。
【００２４】
通話部３は、図３に示すように、撮像部３０と、通信部３１と、制御部３２と、操作部３３と、を備えている。また、通話部３は、通話装置１０との間で通話を実現するためのマイク部８及びスピーカ９０（図７参照）等を更に備えている。
【００２５】
撮像部３０は、図３に示すように、撮像素子３００と、レンズ３０１と、台座３０３（図４参照）と、を有している。撮像部３０は、人等の被写体を撮像するためのカメラである。そのため、人がインターホン装置１を操作する際に少なくとも人の顔が画像に写り込むように、撮像部３０の撮像エリア（視野）はインターホン装置１の前方に設定される。レンズ３０１は、その前面が器体Ａ１から露出するように配置されている。台座３０３は、レンズ３０１を支持するように筐体２のカバー２Ａの背面にねじ止めされている。
【００２６】
本実施形態では、撮像部３０は、動画を撮像するカメラであることを想定するが、撮像部３０は、静止画を撮像するカメラ（スチルカメラ）であってもよい。また、本実施形態では、撮像部３０は、カラー画像を撮像するカラーカメラであると仮定するが、撮像部３０は、モノクローム画像を撮像するモノクロームカメラであってもよい。撮像素子３００は、例えば、ＣＣＤ（Charge Coupled Devices）イメージセンサ、又はＣＭＯＳ（Complementary Metal-Oxide Semiconductor）イメージセンサ等の二次元イメージセンサである。撮像部３０は、被写体からの光をレンズ３０１によって撮像素子３００の撮像面（受光面）上に結像させ、撮像素子３００にて被写体からの光を電気信号（画像信号）に変換する。そのため、撮像部３０で撮像した画像は、撮像部３０から画像信号として通話装置１０に送信される。
【００２７】
撮像部３０の撮像素子３００が実装される制御基板等（台座３０３の裏側に配置）は、基板４に実装されている。具体的には、制御基板等は、基板４の一面（前面４５）のうち上部にある第１領域４５１（図７参照）における左右方向の中央に配置されている。なお、以下の説明では、図７に示すように、基板４の前面４５を、上下方向において、３つの領域に分割し、上から順に、第１領域４５１、第２領域４５２、第３領域４５３と規定する。第１領域４５１の上下方向における寸法は、第３領域４５３の上下方向における寸法と概ね同じである。上下方向の中央にある第２領域４５２の上下方向における寸法は、第１領域４５１の上下方向における寸法の約４倍である。
【００２８】
通信部３１は、通話装置１０と通信するための通信インターフェースである。通信部３１は、例えばツイストペア線等からなる２線式の伝送路Ｓ１（図３では１本の線で示す）を介して、通話装置１０と電気的に接続されている。通信部３１は、撮像部３０で撮像した画像の画像信号を通話装置１０に送信する。さらに、インターホン装置１と通話装置１０との間で音声信号及び制御信号が双方向に伝送可能となるよう、通信部３１は、通話装置１０との間で双方向に通信可能に構成されている。
【００２９】
通信部３１は、通話装置１０から受信したデジタルの音声信号をアナログの音声信号に変換（復調）する。復調された音声信号は、スピーカ９０から出力される。また、マイク部８にて集音された音声は、マイク部８からアナログの音声信号として通信部３１に入力され、デジタルの音声信号に変換されて通話装置１０へ送信される。
【００３０】
スピーカ９０、及びマイク部８のマイクロホンは、基板４に実装されている。具体的には、スピーカ９０は、第２領域４５２における上下、左右方向における略中心に配置されている。マイク部８のマイクロホンは、基板４の第１領域４５１における右端、すなわち、撮像部３０の台座３０３の右隣りに配置されている。マイク部８のマイクロホン８０は、表面実装型のマイクロホンである。
【００３１】
操作部３３は、押し釦スイッチ、及び当該押し釦スイッチの前方に配置された操作部材３３０（図４参照）を有しており、来訪者から呼び出しのための操作を受け付ける。操作部材３３０に対して所定の操作（例えば押操作）がされると、押し釦スイッチが押し込まれて、インターホン装置１は、住戸内の居住者を呼び出すための制御信号（呼出信号）を、通信部３１から通話装置１０へ送信する。
【００３２】
操作部３３の押し釦スイッチ等は、基板４に実装されている。具体的には、操作部３３の押し釦スイッチ等は、基板４の第３領域４５３に配置されている。操作部材３３０は、基板４の第３領域４５３と対向するように配置され、筐体２のカバー２Ａと基板４との間で、来訪者からの押操作に応じて後方へ変位可能に保持されている。
【００３３】
制御部３２は、撮像部３０、通信部３１、及び操作部３３等を制御するように構成されている。制御部３２は、例えばＣＰＵ（Central Processing Unit）及びメモリを主構成とするマイクロコンピュータで構成されている。そして、ＣＰＵがメモリに格納されているプログラムを実行することにより、マイクロコンピュータが制御部３２として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００３４】
通信部３１及び制御部３２を構成する回路部品は、基板４に実装されている。具体的には、通信部３１及び制御部３２を構成する回路部品は、概ね基板４の第１領域４５１及び第２領域４５２に配置されている。特に、電解コンデンサや通信用のトランス等の比較的大きい回路部品は、第２領域４５２に配置され、上記のマイクロコンピュータ等は、第１領域４５１における撮像部３０の近傍に配置されている。詳細な説明は省略するが、通話部３は、この他にも、撮像部３０で撮像された画像を記録し、各種の設定パラメータを記録する、データの書き換えが可能な不揮発性メモリを有していてもよい。
【００３５】
端子ブロック６は、複数の端子を有しており、スイッチボックスであるスイッチボックス２００Ａ内の上部から延び出ている複数の接続線Ｌ１（図１参照）が接続される。接続線Ｌ１が端子ブロック６に接続されることで伝送路Ｓ１が形成され、インターホン装置１が、住戸内の通話装置１０と電気的に接続される。また、接続線Ｌ１が端子ブロック６に接続されることで、インターホン装置１が、住戸内の感知器等（例えば熱感知器）と電気的に接続される。
【００３６】
端子ブロック６は、基板４に実装されている。具体的には、端子ブロック６は、図５に示すように、基板４の背面４６に実装されている。端子ブロック６は、長尺の直方体形状となっていて、その長手方向が上下方向に沿うように配置されている。端子ブロック６は、前方向から見たときに、第２領域４５２の投影領域内におけるスピーカ９０の左隣りに位置する。
【００３７】
機能部９１は、図２Ａ及び図４に示すように、コネクタ９１０、及びコネクタ９１０の前方に開閉可能に配置された扉９１１等を有している。また、機能部９１は、図４及び図７に示すように、コネクタ９１０の不使用時にコネクタ９１０の前面を覆う、例えばゴム製のキャップ９１３を有している。コネクタ９１０には、例えば、住戸外から住戸内の遠隔試験機能付きの感知器の試験を行うための外部試験器のプラグが差し込まれる。
【００３８】
機能部９１のコネクタ９１０は、基板４に実装されている。具体的には、コネクタ９１０は、基板４の第１領域４５１における左端、すなわち、撮像部３０の台座３０３の左隣りに配置されている。なお、扉９１１は、コネクタ９１０と対向するように筐体２のカバー２Ａに保持されている。
【００３９】
本実施形態では、例えば、撮像部３０の部品、スピーカ９０、マイク部８のマイクロホン、操作部３３の押し釦スイッチ、並びに通信部３１及び制御部３２の回路部品が、通話部３を構成する複数の回路部品４０に相当する。そして、通話部３を構成するこれらの回路部品４０は、全て、１枚の基板４に実装されている。そのため、複数の回路部品４０が例えばメイン基板とサブ基板とに分散される場合に比べて、実装基板の数を減らすことができ、部品点数の削減を図ることができる。
【００４０】
ただし、通話部３を構成するこれらの回路部品４０の全てが、１枚の基板４に実装されていることは、インターホン装置１において必須ではない。基板４以外に例えばサブ基板が設けられていて、これらの回路部品４０が、基板４とサブ基板の２枚に分散して実装されていてもよい。また、サブ基板は、複数設けられていてもよい。ただし、少なくとも通信部３１及び制御部３２を構成する回路部品が１枚の基板４に実装されていることが望ましい。
【００４１】
なお、回路部品４０のうち、第２領域４５２の左上に実装されているスイッチ４０Ａ（図７Ａ参照）は、撮像部３０で撮像されて通話装置１０（インターホン親機）のディスプレイで表示される表示範囲を、インターホン装置１側で調整するためのスイッチである。スイッチ４０Ａは、筐体２のカバー２Ａに設けられている露出部４０Ｂ（図４参照）から、カバー２Ａの外部に露出する。スイッチ４０Ａは、左右方向に沿って左位置、中央位置、及び右位置へ切り替え可能となっている。スイッチ４０Ａの切り替え位置に応じて、通話装置１０のディスプレイで表示可能な範囲が、左、中央、及び右に切り替えられる。
【００４２】
（２．３）基板
基板４は、例えば上下方向に長尺の矩形状のプリント配線板である。基板４の表面には回路パターン（導体パターン）が形成されている。上述した通り、基板４には、通話部３を構成する複数の回路部品４０や、端子ブロック６、機能部９１が実装されている。基板４は、筐体２内で保持されている。
【００４３】
本実施形態の基板４は、図７に示すように、その厚み方向に貫通している一対の通し孔４１を有している。各通し孔４１は、上記厚み方向から見たときに、筐体２の対応する第１貫通孔２１の開口領域の少なくとも一部と重なっている。言い換えると、各通し孔４１は、前後方向から見たときに、その開口領域内において、第１貫通孔２１の開口領域の一部又は全部と重なるように形成されている。本実施形態では、各通し孔４１の開口領域は、対応する第１貫通孔２１の開口領域よりも大きく、第１貫通孔２１の開口領域の全部と重なる。具体的には、各通し孔４１の開口領域は、筐体２のカバー２Ａにおいて対応する第１貫通孔２１の周縁に沿って突出している筒状体が当該通し孔４１内に収まるように形成されている（図８参照：図８の例では筒状体２１７）。
【００４４】
一対の通し孔４１は、図７に示すように、いずれも概ね基板４の第２領域４５２内に配置されている。具体的には、上側の通し孔４１は、第２領域４５２内の上部における左右方向の中央に配置されている（一部、第１領域４５１内に延出している）。以下では、上側の通し孔４１を「通し孔４１Ａ」と呼ぶこともある（図５参照）。通し孔４１Ａは、概ね、開口形状が上下方向に長いレーストラック形状の長孔であり、その一部（上部）が矩形状に開放されている（図５参照）。下側の通し孔４１は、第２領域４５２内の下部における左右方向の中央に配置されている。以下では、下側の通し孔４１を「通し孔４１Ｂ」と呼ぶこともある（図５参照）。通し孔４１Ｂは、開口形状が左右方向に長いレーストラック形状の長孔である。
【００４５】
一対の通し孔４１は、第２領域４５２内で、上下方向において、スピーカ９０がそれらの間に位置するように設けられている。また、一対の通し孔４１は、第２領域４５２内で、上下方向において、端子ブロック６の投影領域がそれらの間に位置するように設けられている。なお、基板４の表面に設けられている回路パターンは、一対の通し孔４１を避けるように形成されている。
【００４６】
また、基板４は、図７に示すように、その左右の両縁に、筐体２のベース２Ｂにおけるレーストラック形状の８つの筒状体（２５６、２５７）を、それぞれ一対一で受けるための８つの凹所を有している。８つの凹所は、４つの筒状体２５６に対応する４つの凹所４２と、４つの筒状体２５７に対応する４つの凹所４３とを有する。
【００４７】
４つの凹所４２は、基板４の第２領域４５２の左右両縁において、それぞれ２つずつ配置されている。４つの凹所４２は、基板４の上下方向における中心近傍に位置する。各凹所４２は、前後方向から見たときに、レーストラック形状の筒状体２５６の縁の形に沿った略Ｊ字状に基板４の内側に凹んでいる。上側２つの凹所４２は、その円弧状の部分が上側を向くように、下側２つの凹所４２は、その円弧状の部分が下側を向くように、形成されている。すなわち、４つの凹所４２は、第２領域４５２の左右方向における中心軸に対して左右対称となるように、また、第２領域４５２の上下方向における中心軸に対して上下対称となるように形成されている。
【００４８】
一方、４つの凹所４３は、基板４の第１領域４５１と第２領域４５２との境目の左右両縁、並びに、基板４の第２領域４５２と第３領域４５３との境目の左右両縁に、それぞれ配置されている。具体的には、基板４の左右両縁の各々において、２つの凹所４３の間に２つの凹所４２が位置し、２つの凹所４２の間に基板４の上下方向における中心が位置する。各凹所４３は、前後方向から見たときに、レーストラック形状の筒状体２５７の縁の形に沿った略Ｊ字状に基板４の内側に凹んでいる。上側２つの凹所４３は、その円弧状の部分が上側を向くように、下側２つの凹所４３は、その円弧状の部分が下側を向くように、形成されている。すなわち、４つの凹所４３は、第２領域４５２の左右方向における中心軸に対して左右対称となるように、また、第２領域４５２の上下方向における中心軸に対して上下対称となるように形成されている。
【００４９】
更に、基板４は、図７に示すように、上下両縁の各々における左右両端寄りの位置に、基板４の内側に向かって半円状に凹んだ一対の受部４４を有している（合計４つ）。
【００５０】
（２．４）筐体
（２．４．１）筐体の全体構成
筐体２は、図１に示すように、全体として上下方向に長尺でへん平な矩形箱状となっている。筐体２は、例えば合成樹脂等の材料によって形成されている。そして、筐体２は、図４及び図５に示すように、後面が開放された矩形箱状のカバー２Ａと、カバー２Ａによって覆われる矩形板状のベース２Ｂと、から構成されている。
【００５１】
ここで、筐体２及び化粧パネル５からなる器体Ａ１（図１０参照）は、鍔状の遮光部材７が着脱可能に固定されるための被固定部７０Ｂを有している。被固定部７０Ｂは、一例として、筐体２のカバー２Ａに設けられている。
【００５２】
（２．４．２）カバー
カバー２Ａは、図１に示すように、矩形板状の本体部２００と、本体部２００の上縁から後方に突き出る上側壁２０１と、本体部２００の下縁から後方に突き出る下側壁２０２と、を有している。さらに、カバー２Ａは、図１に示すように、本体部２００の右縁から後方に突き出る右側壁２０３と、本体部２００の左縁から後方に突き出る左側壁２０４と、を有している。
【００５３】
本体部２００は、その前面の上部において、前方に向かって突出する第１突出台２１０を有している。第１突出台２１０は、前後方向から見たときに、矩形状となっている。第１突出台２１０は、その長手方向が左右方向に沿うように形成されている。第１突出台２１０は、前後方向から見たときに、基板４の第１領域４５１の投影領域と概ね重なる位置にある。第１突出台２１０は、左右方向における中央において、第１突出台２１０の平坦な前面から前方に向かって突出する第２突出台２１１を有している。
【００５４】
第２突出台２１１は、前後方向から見たときに、基板４の第１領域４５１に実装されている撮像部３０の投影領域と重なる位置にある。そして、第２突出台２１１は、本体部２００の厚み方向に貫通した窓孔２１２（図２Ａ参照）を有している。窓孔２１２は、本体部２００の背面側に配置されるレンズ３０１を筐体２の外部に露出させるための孔であり、その開口は円形状である。第２突出台２１１の前面は、前後方向から見たときに、矩形状であり、上下方向から見たときに、基板４から離れる方向に凸となるように円弧状に湾曲した湾曲面となっている。
【００５５】
第１突出台２１０は、その前面における第２突出台２１１の右隣りの領域に、上下方向に細長く延びているスリット２１３を有している。スリット２１３は、基板４の第１領域４５１に実装されているマイク部８のマイクロホンと対向するように配置されている。スリット２１３は、その内周縁において、下縁から基板４に向かって緩やかに傾斜する傾斜面を有した構造を持つ。そして、スリット２１３は、その上下方向における中央部のみが本体部２００の厚み方向に貫通していて、来訪者から発せられる音声は、スリット２１３を通じてマイク部８に集音される。
【００５６】
第１突出台２１０は、その前面における第２突出台２１１の左隣りの領域に、機能部９１の扉９１１が収容される扉収容凹部２１４（図４参照）を有している。扉収容凹部２１４は、その開口形状が矩形状であり、基板４に近づく向きに凹んでいる。扉収容凹部２１４は、その内底部に、本体部２００の厚み方向に貫通する孔２１４Ａを有しており、孔２１４Ａを通じて、基板４上のコネクタ９１０が露出される。扉９１１の下端部には、人の爪等で引っ掛けることが可能な切欠き９１２が形成されている。扉収容凹部２１４は、扉９１１がコネクタ９１０を外部に露出する位置まで（左右方向に沿った）回転軸を中心に回転できるように、扉９１１を軸支している。したがって、人の爪等を切欠き９１２に引っ掛けて扉９１１を手前に引っ張ることで、扉９１１が回転してコネクタ９１０が外部に露出される。
【００５７】
本実施形態では、カバー２Ａは、遮光部材７が着脱可能に固定される被固定部７０Ｂに相当する、収容凹所７００（図４参照）及び一対の挿入孔７０１（図１０参照）を有している。収容凹所７００は、遮光部材７の後端部７０５（図５参照、固定部７０Ａ）が前方から差し込まれて収容されるように構成されている。具体的には、収容凹所７００は、カバー２Ａの前面から後退するように凹んでいて、カバー２Ａの前面の前方から見たときに、左右方向に細長い矩形状の開口を有している。収容凹所７００は、カバー２Ａの前面における、第１突出台２１０よりも上部に配置されている。遮光部材７は、その後端部７０５が収容凹所７００内に収容された状態において、第１突出台２１０の上端面７０３と接触する。
【００５８】
一対の挿入孔７０１は、図１０に示すように、収容凹所７００の内底面に設けられている。本実施形態の各挿入孔７０１は、一例として、カバー２Ａを前後方向に貫通している孔であるが、貫通していない凹みであってもよい。一対の挿入孔７０１には、遮光部材７の後端部７０５から突出する円筒状の一対の突起７０６（図５参照、固定部７０Ａ）がそれぞれ一対一に差し込まれる。突起７０６の外径及び挿入孔７０１の内径は、突起７０６が挿入孔７０１内に差し込まれたときに、遮光部材７が収容凹所７００から安易に脱落しない程度に互いに略等しく寸法関係が規定されていることが望ましい。
【００５９】
本体部２００は、図４に示すように、その前面の下部において、操作部３３の釦スイッチの前方に配置された操作部材３３０を露出する露出孔２１５を有している。露出孔２１５は、本体部２００の厚み方向に貫通する孔であり、その開口形状が矩形状となっている。本体部２００の背面における露出孔２１５の周縁部には、操作部材３３０の外周縁から突出するフランジ３３１を収めるための溝２４２（図５参照）が形成されている。また、露出孔２１５の左右両縁の上端には、互いに近づく向きに突出する一対の軸部２４３（図５参照）が設けられている。一方、操作部材３３０の背面側には、半円状に切り欠かれた軸受が形成されていて、当該軸受に軸部２４３が引っ掛けられた状態で、フランジ３３１が溝２４２に収容されている。したがって、操作部材３３０は、本体部２００の背面と基板４との間において、軸部２４３を中心軸として、来訪者等の人の押操作により後方へ押し下げされるように変位可能に本体部２００に支持されている。
【００６０】
本体部２００は、図１に示すように、その前面における左右及び上下方向の中心のやや右寄りの位置に、通音口２１６を有している。通音口２１６は、基板４の第２領域４５２に実装されているスピーカ９０と対向して配置されており、スピーカ９０からの音声を外部に通す。通音口２１６は、本体部２００の厚み方向に貫通している複数の孔部から構成されており、これらの孔部は、大、中、小の径を有する３つの同心円上に沿うように形成された円弧状の開口を有している。
【００６１】
本実施形態の筐体２は、上述の通り、２つの第１貫通孔２１を有している（図１参照）。２つの第１貫通孔２１は、上下方向に沿って並んでおり、以下では、上側の第１貫通孔２１を「第１貫通孔２１Ａ」と呼び、下側の第１貫通孔２１を「第１貫通孔２１Ｂ」と呼ぶこともある。各第１貫通孔２１は、カバー２Ａのカバー孔２１００（図８参照）と、カバー孔２１００に対向する、ベース２Ｂのベース孔２１０１（図７及び図８参照）とが合わさって構成されている。以下、先にカバー孔２１００について説明する。
【００６２】
本体部２００は、カバー孔２１００を一対有している。すなわち、一対のカバー孔２１００のうち、上側のカバー孔２１００は、第１貫通孔２１Ａの一部に相当し、下側のカバー孔２１００は、第１貫通孔２１Ｂの一部に相当する。一対のカバー孔２１００は、前後方向から見たときに、基板４の第２領域４５２の投影領域内に配置されている。特に、各カバー孔２１００は、基板４の対応する通し孔４１の投影領域内に配置されている。
【００６３】
ここで、本体部２００は、その背面において、上下のカバー孔２１００の周縁をそれぞれ補強するように後方に突出する筒状体２１７、２１８（図５参照）を有している。上下のカバー孔２１００は、それぞれ、筒状体２１７、２１８を貫くように形成されていて、筒状体２１７、２１８の各々の前後方向における両端は、開口している。また、本体部２００は、その前面において、後方に向かってレーストラック形状に凹んだ一対の凹部２１９（図１参照）を有しており、各凹部２１９の底面に、上述したカバー孔２１００が形成されている。
【００６４】
具体的には、上側の凹部２１９は、その長軸が上下方向に沿うように配置され、上側の凹部２１９の底面に、ダルマ形状に貫通するカバー孔２１００が形成されている。ダルマ形状のカバー孔２１００は、その大径部と小径部とが上下方向に並ぶように配置されている。ダルマ形状のカバー孔２１００の開口面積は、対応する凹部２１９の開口面積よりも小さい。筒状体２１７（図５参照）は、この上側の凹部２１９及びダルマ形状のカバー孔２１００を構成するために、本体部２００の背面から突出するレーストラック形状の筒体と、ダルマ形状の筒体とが一体となって形成されている。
【００６５】
また、下側の凹部２１９は、その長軸が左右方向に沿うように配置されており、下側の凹部２１９の底面に、レーストラック形状に貫通するカバー孔２１００が形成されている。レーストラック形状のカバー孔２１００は、前後方向から見たときに、その長軸が対応する凹部２１９の長軸と一致するように配置されている。レーストラック形状のカバー孔２１００の開口面積は、対応する凹部２１９の開口面積よりも小さい。筒状体２１８（図５参照）は、この下側の凹部２１９及びレーストラック形状のカバー孔２１００を構成するために、本体部２００の背面から突出するレーストラック形状の筒体と、当該筒体より小さいレーストラック形状の筒体とが一体となって形成されている。
【００６６】
また、本実施形態の筐体２は、図１に示すように、例えば２個用のスイッチボックスに固定するための４つの第２貫通孔２２を有している。各第２貫通孔２２は、カバー２Ａのカバー孔２２００（図１参照）と、カバー孔２２００に対向する、ベース２Ｂのベース孔２２０１（図６参照）とが合わさって構成されている。以下、先にカバー孔２２００について説明する。
【００６７】
本体部２００は、４つのカバー孔２２００を有している。４つのカバー孔２２００は、前後方向から見たときに、基板４の第２領域４５２の左右両縁に設けられている４つのＪ字状の凹所４２にそれぞれ一対一で対応するように、形成されている。言い換えると、４つのカバー孔２２００は、前後方向から見たときに、基板４の周囲の領域に配置されている。
【００６８】
ここで、本体部２００は、その背面において、４つのカバー孔２２００の周縁をそれぞれ補強するように後方に突出する４つの筒状体２２０（図５参照）を有している。各カバー孔２２００は、対応する筒状体２２０を貫くように形成されている。また、本体部２００は、その前面において、後方に向かってレーストラック形状に凹んだ４つの凹部２２１（図１参照）を有しており、各凹部２２１の底面に、上述したカバー孔２２００が形成されている。
【００６９】
具体的には、本体部２００における上下方向の中心より上側にある２つの凹部２２１は、それらの長軸が上方に行くほど互いに近づくように、上下方向に対して傾斜して配置されている。また、本体部２００の上記中心より下側にある２つの凹部２２１は、それらの長軸が下方に行くほど互いに近づくように、上下方向に対して傾斜して配置されている。
【００７０】
そして、各凹部２２１の底面に、レーストラック形状に貫通するカバー孔２２００が形成されている。カバー孔２２００は、前後方向から見たときに、その長軸が対応する凹部２２１の長軸と一致するように配置されている。カバー孔２２００の開口面積は、対応する凹部２２１の開口面積よりも小さい。各筒状体２２０（図５参照）は、凹部２２１及びカバー孔２２００を構成するために、本体部２００の背面から突出するレーストラック形状の筒部と、当該筒部より小さいレーストラック形状の筒部とが一体となって形成されている。
【００７１】
更に、本実施形態の筐体２は、図１に示すように、例えば３個用のスイッチボックスに固定するための４つの第３貫通孔２３を有している。各第３貫通孔２３は、カバー２Ａのカバー孔２３００（図１参照）と、カバー孔２３００に対向する、ベース２Ｂのベース孔２３０１（図６参照）とが合わさって構成されている。以下、先にカバー孔２３００について説明する。
【００７２】
本体部２００は、４つのカバー孔２３００を有している。４つのカバー孔２３００は、前後方向から見たときに、基板４の左右両縁に設けられている４つのＪ字状の凹所４３にそれぞれ一対一で対応するように、形成されている。言い換えると、４つのカバー孔２３００は、前後方向から見たときに、基板４の周囲の領域に配置されている。
【００７３】
ここで、本体部２００は、その背面において、４つのカバー孔２３００の周縁をそれぞれ補強するように後方に突出する４つの筒状体２３０（図５参照）を有している。各カバー孔２３００は、対応する筒状体２３０を貫くように形成されている。また、本体部２００は、その前面において、後方に向かってレーストラック形状に凹んだ４つの凹部２３１を有しており、各凹部２３１の底面に、上述したカバー孔２３００が形成されている。
【００７４】
具体的には、上側の２つの凹部２２１よりも上にある２つの凹部２３１は、それらの長軸が上方に行くほど互いに近づくように、上下方向に対して傾斜して配置されている。また、下側２つの凹部２２１よりも下にある２つの凹部２３１は、それらの長軸が下方に行くほど互いに近づくように、上下方向に対して傾斜して配置されている。
【００７５】
そして、各凹部２３１の底面に、レーストラック形状に貫通するカバー孔２３００が形成されている。カバー孔２３００は、前後方向から見たときに、その長軸が対応する凹部２３１の長軸と一致するように配置されている。カバー孔２３００の開口面積は、対応する凹部２３１の開口面積よりも小さい。筒状体２３０（図５参照）は、凹部２３１及びカバー孔２３００を構成するために、本体部２００の背面から突出するレーストラック形状の筒部と、当該筒部より小さいレーストラック形状の筒部とが一体となって形成されている。
【００７６】
本体部２００は、その前面において、化粧パネル５の背面から突出する６つの係止爪５５（図５参照）がそれぞれ一対一で係止する６つの係止溝２４０（図１及び図４参照）を有している。６つの係止溝２４０は、本体部２００の左右両縁の各々に、それぞれ３つずつ配置されていて、各縁の３つの係止溝２４０は、上端、下端、及び上下方向の中央の位置にある。
【００７７】
また、本体部２００は、その前面において、４つの穴部２４１（図１参照）を有している。４つの穴部２４１のうちの２つは、本体部２００の左右両縁の上端にある２つの係止溝２４０の下に位置し、残りの２つは、本体部２００の左右両縁の下端にある２つの係止溝２４０の上に位置している。各穴部２４１にねじ２Ｃが挿入されて穴部２４１の底にある貫通孔を通り、ベース２Ｂの四隅にあるねじ孔２４４（図４〜図６参照）にねじ込まれることで、カバー２Ａがベース２Ｂに組み付けられる。
【００７８】
本体部２００は、図２Ｂに示すように、その前面の下縁における左右方向の中央の位置に、本体部２００から下側壁２０２にかけて後方に窪んだ窪み部２０５を有している。窪み部２０５内の下方に向く面には、ねじ孔が設けられている。そして、化粧パネル５の背面における下部に突出している爪片５６（図２Ｂ及び図５参照）が窪み部２０５内に差し込まれた状態で、ねじ２Ｄが、爪片５６の先端にある切り欠き溝５７（図５参照）を通り、ねじ孔にねじ込まれている。
【００７９】
本体部２００は、図５に示すように、その背面の左右両縁における上下方向の中心付近に、一対のボス２９０を有している。各ボス２９０の後端面にはねじ孔が形成されていて、ベース２Ｂの挿通孔２９１（図６参照）を通るねじ２Ｅがねじ込まれる。
【００８０】
また、本体部２００は、図５に示すように、その背面において、４つの筒状体２２０及び４つの筒状体２３０を連結して補強するための、略Ｕ字枠状のリブ２９２を有している。また、本体部２００は、図５に示すように、リブ２９２の内側における四隅の各々に、ボス２９３を有している。上側２つのボス２９３は、その後端面にそれぞれねじ孔を有しており、ベース２Ｂの背面にある穴部２９４から挿入されるねじ２Ｆ（図６参照）が、ボス２９３のねじ孔にねじ込まれる。一方、下側２つのボス２９３は、その（径が小さく形成された）先端部が、ベース２Ｂの前面にあるボス２９５の先端にある凹所に嵌入するように形成されている。このとき、基板４の四隅にある半円弧状に凹んだ受部４４の周縁が、ボス２９３とボス２９５との間に挟み込まれることで、基板４が、筐体２内で安定的に収容される。
【００８１】
下側壁２０２は、図２Ｂに示すように、筐体２内に入った水（例えば雨水等）を外部に排出するための４つの水抜き孔２０６を有している。４つの水抜き孔２０６は、左右方向に並んで配置されている。また、下側壁２０２は、４つの水抜き孔２０６より後方の位置に、一対の嵌入孔２０７を有している。一対の嵌入孔２０７は、ベース２Ｂの下縁から下方に突出する突出片２４９がそれぞれ一対一で嵌入するための孔である。
【００８２】
ところで、カバー２Ａは、図５及び図９に示すように、その背面において、基板４を仮保持するための一対の爪部２０８を有している。一対の爪部２０８は、カバー２Ａの背面におけるリブ２９２の内側で、露出孔２１５の左右両縁の近傍に配置されている。各爪部２０８は、カバー２Ａの背面から後方に向かって、矩形板状に突出している。一対の爪部２０８の先端は、基板４との接触により互いに離れる方向に撓み、基板４がその先端を乗り越えると、弾性復帰により基板４の第３領域４５３の左右両縁に引っ掛かる。その結果、基板４の下部の後方への変位が規制されて、カバー２Ａに対する基板４の仮保持が達成される。そのため、インターホン装置１の製造時に、筐体２への基板４の組み付けが容易となる。
【００８３】
なお、基板４が仮保持された状態で、２本のねじ２Ｅと２本のねじ２Ｆとで、カバー２Ａとベース２Ｂとを固定（本固定）することで、基板４は、カバー２Ａとベース２Ｂとの間に挟まれるように安定的に保持される。
【００８４】
（２．４．３）ベース
ベース２Ｂは、図４〜図７及びに示すように、矩形板状に形成されている。ベース２Ｂは、その前面の左右の両縁近傍において、それぞれ、前方に向かって突出する一対の側片２５２を有している。各側片２５２は、左右方向から見て上下方向に細長い略矩形板状である。また、ベース２Ｂは、その前面の上縁近傍において、前方に向かって突出する上端片２５３を有している。上端片２５３の左右両端は、さらに下方に向かって突き出ており、上端片２５３は、前後方向から見て、略Ｕ字状の板状に形成されている。一対の側片２５２及び上端片２５３は、カバー２Ａがベース２Ｂを覆うように組み付けられたとき、カバー２Ａの上側壁２０１、右側壁２０３、及び左側壁２０４の内側に収まるように構成されている。
【００８５】
上の「（２．４．２）カバー」の欄で説明した通り、筐体２は２つの第１貫通孔２１を有していて、各第１貫通孔２１は、カバー２Ａのカバー孔２１００とベース２Ｂのベース孔２１０１とから構成されている。以下、ベース孔２１０１について説明する。
【００８６】
ベース２Ｂは、ベース孔２１０１を一対有している。上側のベース孔２１０１は、第１貫通孔２１Ａの一部に相当し、下側のベース孔２１０１は、第１貫通孔２１Ｂの一部に相当する。一対のベース孔２１０１は、前後方向から見たときに、図７に示すように、基板４の第２領域４５２の投影領域内に配置されている。特に、各ベース孔２１０１は、基板４の対応する通し孔４１の投影領域内に配置されている。
【００８７】
ベース２Ｂは、図４及び図７に示すように、その前面において、上下のベース孔２１０１の周縁をそれぞれ補強するように前方に僅かに突出するへん平な筒状体２５４、２５５を有している。上下のベース孔２１０１は、それぞれ、筒状体２５４、２５５を貫くように形成されている。
【００８８】
上側のベース孔２１０１の開口形状は、前後方向から見たときに、対向する上側のカバー孔２１００と略同形（ダルマ形）、同寸法を有している。上側のベース孔２１０１は、その大径部と小径部とが上下方向に並ぶように配置されている。なお、筒状体２５４も、前後方向から見たときに、このベース孔２１０１の周縁に沿ったダルマ形状の外縁を有している。
【００８９】
下側のベース孔２１０１の開口形状は、前後方向から見たときに、対向する下側のカバー孔２１００と略同形（レーストラック形）、同寸法を有している。下側のベース孔２１０１は、その長軸が左右方向に沿うように配置されている。なお、筒状体２５５も、前後方向から見たときに、このベース孔２１０１の周縁に沿ったレーストラック形状の外縁を有している。
【００９０】
ここで、筒状体２５４、２５５は、図４に示すように、その前端面において、後方に凹んだ嵌合溝２５４Ａ、２５５Ａを、それぞれ有している。嵌合溝２５４Ａは、前後方向から見たときに、ダルマ形状の筒状体２５４の開口縁の全周にわたって形成されている。嵌合溝２５５Ａは、前後方向から見たときに、レーストラック形状の筒状体２５５の開口縁の全周にわたって形成されている。
【００９１】
一方、カバー２Ａの筒状体２１７、２１８は、図５に示すように、その後端面（開口縁の端面）から後方に突出する凸状の嵌合突起２１７Ａ、２１８Ａを、それぞれ有している。嵌合突起２１７Ａは、前後方向から見たときに、ダルマ形状の筒状体２１７の開口縁の全周にわたって形成されている。嵌合突起２１８Ａは、前後方向から見たときに、レーストラック形状の筒状体２１８の開口縁の全周にわたって形成されている。
【００９２】
そして、筒状体２１７の嵌合突起２１７Ａが、筒状体２５４の嵌合溝２５４Ａに嵌合することで、カバー孔２１００とベース孔２１０１とが前後方向において１つに繋がり第１貫通孔２１Ａが構成される。また、基板４の通し孔４１Ａ内に、筒状体２１７及び筒状体２５４が配置される。要するに、第１貫通孔２１Ａは、前後方向から見たときに、通し孔４１Ａの投影領域内に配置される。
【００９３】
また、筒状体２１８の嵌合突起２１８Ａが、筒状体２５５の嵌合溝２５５Ａに嵌合することで、カバー孔２１００とベース孔２１０１とが前後方向において１つに繋がり第１貫通孔２１Ｂが構成される。また、基板４の通し孔４１Ｂ内に、筒状体２１８及び筒状体２５５が配置される。要するに、第１貫通孔２１Ｂは、前後方向から見たときに、通し孔４１Ｂの投影領域内に配置される。
【００９４】
筒状体２１７及び筒状体２５４は、上記の嵌合によって概ね隙間なく結合するため、防水パッキン等を用いなくても、筐体２内への水の浸入が抑制される。同様に、筒状体２１８及び筒状体２５５は、上記の嵌合によって概ね隙間なく結合するため、防水パッキン等を用いなくても、筐体２内への水の浸入が抑制される。
【００９５】
また、上の「（２．４．２）カバー」の欄で説明した通り、筐体２は４つの第２貫通孔２２を有していて、各第２貫通孔２２は、カバー２Ａのカバー孔２２００とベース２Ｂのベース孔２２０１とから構成されている。また、筐体２は４つの第３貫通孔２３を有していて、各第３貫通孔２３は、カバー２Ａのカバー孔２３００とベース２Ｂのベース孔２３０１とから構成されている。以下、ベース孔２２０１、２３０１について説明する。
【００９６】
ベース２Ｂは、４つのベース孔２２０１と４つのベース孔２３０１とを有している。４つのベース孔２２０１と４つのベース孔２３０１とは、前後方向から見たときに、基板４の左右両縁に設けられている４つのＪ字状の凹所４２と４つのＪ字状の凹所４３とに、それぞれ一対一で対応するように、形成されている。言い換えると、４つのベース孔２２０１及び４つのベース孔２３０１は、前後方向から見たときに、基板４の周囲の領域に配置されている。
【００９７】
ベース２Ｂは、その前面において、４つのベース孔２２０１と４つのベース孔２３０１の周縁をそれぞれ補強するように前方に突出するへん平な４つの筒状体２５６と４つの筒状体２５７（図７参照）とを有している。各ベース孔２２０１は、対応する筒状体２５６を貫くように形成されている。各ベース孔２３０１は、対応する筒状体２５７を貫くように形成されている。
【００９８】
各ベース孔２２０１の開口形状は、前後方向から見たときに、対向するカバー孔２２００と略同形（レーストラック形）、同寸法を有している。また、各ベース孔２３０１の開口形状は、前後方向から見たときに、対向するカバー孔２３００と略同形（レーストラック形）、同寸法を有している。
【００９９】
各ベース孔２２０１の長軸は、前後方向から見たときに、対向するカバー孔２２００の長軸と一致する。各筒状体２５６は、前後方向から見たときに、ベース孔２２０１の周縁に沿うように、レーストラック形状の外縁を有している。また、各ベース孔２３０１の長軸は、前後方向から見たときに、対向するカバー孔２３００の長軸と一致する。各筒状体２５７は、前後方向から見たときに、ベース孔２３０１の周縁に沿うように、レーストラック形状の外縁を有している。
【０１００】
ここで、筒状体２５６、２５７は、図７に示すように、その前端面において、後方に凹んだ嵌合溝２５６Ａ、２５７Ａを、それぞれ有している。嵌合溝２５６Ａ、２５７Ａは、前後方向から見たときに、それぞれ、レーストラック形状の筒状体２５６、２５７の開口縁の全周にわたって形成されている。
【０１０１】
一方、カバー２Ａの４つの筒状体２２０は、図５に示すように、その後端面（開口縁の端面）から後方に突出する凸状の嵌合突起２２０Ａをそれぞれ有している。同様に、カバー２Ａの４つの筒状体２３０は、その後端面（開口縁の端面）から後方に突出する凸状の嵌合突起２３０Ａをそれぞれ有している。嵌合突起２２０Ａ、２３０Ａの各々は、筒状体２２０、２３０の開口縁の全周にわたって形成されている。
【０１０２】
そして、筒状体２２０の嵌合突起２２０Ａが、筒状体２５６の嵌合溝２５６Ａに嵌合することで、カバー孔２２００とベース孔２２０１とが前後方向において１つに繋がり第２貫通孔２２が構成される。前後方向から見たときに、基板４のＪ字状の各凹所４２内に、対応する筒状体２２０及び筒状体２５６が収まる。また、筒状体２３０の嵌合突起２３０Ａが、筒状体２５７の嵌合溝２５７Ａに嵌合することで、カバー孔２３００とベース孔２３０１とが前後方向において１つに繋がり第３貫通孔２３が構成される。前後方向から見たときに、基板４のＪ字状の各凹所４３内に、対応する筒状体２３０及び筒状体２５７が収まる。筒状体２２０及び筒状体２５６、並びに筒状体２３０及び筒状体２５７は、上記の嵌合によって概ね隙間なく結合するため、防水パッキン等を用いなくても、筐体２内への水の浸入が抑制される。
【０１０３】
ベース２Ｂは、図７に示すように、その前面において、４つの筒状体２５６及び４つの筒状体２５７を連結して補強するための、略Ｕ字枠状のリブ２５８を有している。リブ２５８は、その前端面において、後方に凹んだ嵌合溝２５８Ａを有している。嵌合溝２５８Ａは、リブ２５８の全周にわたって形成されている。嵌合溝２５８Ａは、４つの筒状体２５６の嵌合溝２５６Ａ、及び４つの筒状体２５７の嵌合溝２５７Ａと連通している。一方、カバー２ＡのＵ字枠状のリブ２９２は、嵌合溝２５８Ａに嵌合するための嵌合突起２９２Ａ（図５参照）を有している。嵌合突起２９２Ａは、４つの筒状体２２０の嵌合突起２２０Ａ、及び４つの筒状体２３０の嵌合突起２３０Ａと一体となって形成されている。
【０１０４】
リブ２９２の嵌合突起２９２Ａが、リブ２５８の嵌合溝２５８Ａに嵌合することで、これらのリブ同士が互いに結合される。したがって、基板４は、リブ２９２及びリブ２５８によって囲まれた（概ね隙間のない）空間内に収容されることになり、防水パッキン等を用いなくても筐体２内、特に基板４が収容されている空間内への水の浸入が抑制される。
【０１０５】
ベース２Ｂは、図７に示すように、リブ２５８の左右両側の下端部同士を一体的に繋ぐ突出壁２５９を有している。突出壁２５９は、左右方向に長く延びた矩形板状に形成されている。突出壁２５９は、カバー２Ａの下側壁２０２にある４つの水抜き孔２０６を通じて筐体２内へ進入した湿った空気（湯気等）が、基板４が収容されている空間内へ入り込むことを防ぐために設けられている。
【０１０６】
ここで、ベース２Ｂは、図６に示すように、その背面において、凹部２５０を有している。つまり、筐体２は、スイッチボックス２００Ａと対向する側の背面において、凹部２５０を有している。凹部２５０は、一対の第１貫通孔２１の周囲に配置されており、凹部２５０は、スイッチボックス２００Ａから離れる向き（前方）に凹んでいる。凹部２５０は、前後方向から見て、略矩形状の開口を有しており、ベース２Ｂの背面の約半分の領域を占めている。
【０１０７】
凹部２５０には、図６に示すように、複数の端子を有した端子ブロック６と、配線（接続線Ｌ１）を収容するための配線収容部２５１とが、設けられている。言い換えると、基板４の背面に実装されている端子ブロック６は、凹部２５０の内底面に形成されているブロック挿通孔２６０（図６参照）に挿通されていて、凹部２５０から露出している。なお、ブロック挿通孔２６０の周縁と端子ブロック６との間には防水パッキン（不図示）が設けられている。配線収容部２５１は、概ね、凹部２５０内における端子ブロック６が露出している領域以外の領域に相当する。
【０１０８】
凹部２５０が設けられていることで、接続線Ｌ１の端子ブロック６への配線接続の作業性が向上され、また、接続線Ｌ１がスイッチボックスと筐体２との間に挟まれてしまうといった事態の発生を低減できる。特に、本実施形態では、一対の第１貫通孔２１の開口領域の全体が、凹部２５０内に配置されている。そのため、配線接続の作業性が更に向上され、また、筐体２の背面側における第１貫通孔２１の周縁と、スイッチボックス２００Ａのねじ孔Ｈ１の周縁との間に、接続線Ｌ１が挟まるといった事態の発生を低減できる。なお、本実施形態では、一例として、第１貫通孔２１の開口領域の全体が凹部２５０内に配置されているが、その一部だけが凹部２５０内に配置されていてもよい。要するに、第１貫通孔２１は、その孔の中心が例えば凹部２５０の開口縁（境目）に概ね位置するように貫通していて、第１貫通孔２１の開口領域の一部が凹部２５０内に、残りが凹部２５０外に配置されてもよい。
【０１０９】
ところで、本実施形態の一対の第１貫通孔２１のうち第１貫通孔２１Ａは、ダルマ形状の貫通孔である。つまり、第１貫通孔２１Ａは、第１の径を有した第１孔部２１Ｃ（図８参照）と、第１孔部２１Ｃとつながって形成されていて第１の径よりも小さい第２の径を有した第２孔部２１Ｄ（図８参照）と、を有している。第１孔部２１Ｃ及び第２孔部２１Ｄは、第１孔部２１Ｃが下側に、第２孔部２１Ｄが上側にそれぞれ位置するように、上下方向に並んでいる。そのため、例えば、構造体に対して先にねじを取り付けて、それから、配線接続等の作業を行いながらそのねじを径の大きい第１孔部２１Ｃに通すことで、インターホン装置１を引っ掛けることができる。また、配線接続等の作業後には、第２孔部２１Ｄを通じて、筐体２をスイッチボックスに固定（本締め）することができる。したがって、施工性の向上を更に図ることができる。
【０１１０】
（２．５）化粧パネル
化粧パネル５は、図２Ａ、図４及び図５に示すように、全体として上下方向に長尺となっている。また、化粧パネル５は、図５に示すように、背面が開放された、へん平な矩形箱状である。化粧パネル５は、例えば合成樹脂等の材料によって形成されている。
【０１１１】
化粧パネル５は、図４に示すように、その前面において、それぞれ、化粧パネル５をその厚み方向に貫通する第１窓５１及び第２窓５２を有している。第１窓５１は、カバー２Ａの第１突出台２１０を化粧パネル５の外部に露出するように構成されている。また、第２窓５２は、カバー２Ａの露出孔２１５から露出している操作部３３の操作部材３３０を、更に化粧パネル５の外部に露出するように構成されている。インターホン装置１を前後方向から見たときに、第１窓５１は、基板４の第１領域４５１の投影領域内に配置され、第２窓５２は、基板４の第３領域４５３の投影領域内に配置されている。
【０１１２】
また、化粧パネル５は、図４に示すように、その前面において、それぞれ、化粧パネル５をその厚み方向に貫通する複数のスリット５３（図示例では９つ）を有している。複数のスリット５３は、各々の長手方向が上下方向に沿うように、左右方向に沿って並んでいる。複数のスリット５３は、カバー２Ａの通音口２１６の前方に配置されており、通音口２１６から出るスピーカ９０の音声を、化粧パネル５の外部に通す。複数のスリット５３は、インターホン装置１を前後方向から見たときに、基板４の第２領域４５２の投影領域内に配置されている。
【０１１３】
上の「（２．４．２）カバー」の欄で説明したように、化粧パネル５は、その背面において、６つの係止爪５５（図５参照）を有しており、カバー２Ａの６つの係止溝２４０（図１及び図４参照）に対してそれぞれ一対一に係止する。また、化粧パネル５は、その背面の下部において、爪片５６（図２Ｂ及び図５参照）を有している。各係止爪５５がカバー２Ａの対応する係止溝２４０に係止し、爪片５６がカバー２Ａの窪み部２０５内に差し込まれた状態で、ねじ２Ｄを、爪片５６の切り欠き溝５７に通し、窪み部２０５内のねじ孔にねじ込むことで化粧パネル５がカバー２Ａに組み付けられる。
【０１１４】
ここで、化粧パネル５は、切欠凹所７０２（図４及び図１０参照）を有している。切欠凹所７０２は、前後方向から見たときに、第１窓５１（図４参照）の上縁における左右方向の中央部分が左右方向に細長い矩形状に切り欠かれて形成されている。切欠凹所７０２は、第１窓５１の上縁から遮光部材７の厚みと略等しい寸法だけ、上方へ凹んでいる。
【０１１５】
切欠凹所７０２内の上面は、化粧パネル５が筐体２に組み付けられたときに、第１突出台２１０の上端面７０３と対向する。遮光部材７は、その後端部７０５が収容凹所７００内に収容された状態において、第１突出台２１０の上端面７０３だけでなく、切欠凹所７０２内の上面にも接触する。本実施形態では、遮光部材７の後端部７０５（固定部７０Ａ）は、筐体２における第１突出台２１０の上端面７０３と、化粧パネル５における切欠凹所７０２内の上面とで挟持される。要するに、遮光部材７は、切欠凹所７０２と上端面７０３とからなる差込口に差し込まれたとき、当該差込口の内面と遮光部材７とが接触して遮光部材７が安易に当該差込口から脱落しないように寸法関係が規定されている。
【０１１６】
（２．６）遮光部材
遮光部材７は、インターホン装置１におけるレンズ３０１の一部の領域に対して、遮光する遮光範囲を変更可能に構成されている。本実施形態では、図１１に示すように、レンズフレアの起因となる光源が、集合住宅における共用廊下の天井５０１に設置されている照明器具５０２であることを想定している。したがって、遮光部材７は、主にレンズ３０１の上部の領域を遮光するように配置されている。ただし、遮光するレンズ３０１の領域は、上部の領域に限定されず、レンズフレアの起因となる光源の場所に応じて、変更されてもよい。例えば、レンズフレアの起因となる光源が投光器の場合、遮光部材７は、レンズ３０１の下部の領域を遮光するように配置されていてもよい。
【０１１７】
遮光部材７は、例えば合成樹脂等の材料によって形成されている。遮光部材７は、図１０に示すように、一例として、鍔状に形成された板状の構造体７Ａである。構造体７Ａは、器体Ａ１から離れる方向（前方）に突出するように配置されている。構造体７Ａの突出した端面（前端面）は、上下方向から見たときに、円弧状に湾曲している。構造体７Ａの形状は、特に限定されない。例えば、構造体７Ａの形状は、上下方向から見たときに、矩形状であってもよいし、台形状であってもよい。構造体７Ａは、例えば光の吸収性を高めるために黒色に塗装されているが、特に限定されない。構造体７Ａは、光の反射性を高める反射面を有していてもよい。
【０１１８】
遮光部材７は、一例として、器体Ａ１に対して着脱可能（取り付け及び取り外し）に構成されている。具体的には、構造体７Ａは、器体Ａ１の被固定部７０Ｂに着脱可能に固定される固定部７０Ａを有している。固定部７０Ａは、上述の通り、後端部７０５と、後端部７０５から後方に突出する一対の突起７０６と、から構成されている。後端部７０５は、筐体２の収容凹所７００内に収容される。一対の突起７０６は、一対の挿入孔７０１にそれぞれ挿入される。遮光部材７が器体Ａ１に対して着脱可能であることで、遮光範囲の変更が可能である。すなわち、遮光部材７を器体Ａ１から取り外すことで、遮光範囲は無くなる。
【０１１９】
遮光部材７の取付手順については、例えば、筐体２に化粧パネル５が組み付けられた状態で、化粧パネル５の切欠凹所７０２と第１突出台２１０の上端面７０３とからなる差込口を通じて、遮光部材７の後端部７０５を筐体２の収容凹所７００に挿入すればよい。あるいは、先に筐体２の収容凹所７００に遮光部材７の後端部７０５を挿入してから、筐体２に化粧パネル５を組み付けてもよい。このように、遮光部材７は、インターホン装置１のスイッチボックス等への施工後であっても、施工業者だけでなく居住者自身によって簡単に取り付け及び取り外しを行うことができる。要するに、取り付け及び取り外しの作業が容易となっている。
【０１２０】
ここで、レンズフレアについて簡単に説明する。図１１は、遮光部材７が設けられていない場合において、インターホン装置１の撮像部３０で撮像された来訪者Ｍ１の撮像データが、住戸内の通話装置１０（インターホン親機）のディスプレイ１０Ａに表示されている様子を示している。図１１に示すように、インターホン装置１の近傍の天井５０１（特に、撮像部３０の前方に広がる撮像エリアの近く）に照明器具５０２が設置されている場合がある。この場合、照明器具５０２から放射される光がレンズ３０１の内面で再反射することで、大中小の円形状、五角形状、六角形状等の光の粒状の像５０３が、ディスプレイ１０Ａに表示される映像に写り込むことがある（図１１では一例として六角形のみ）。特に、昨今では撮像部の広角化が進んでいるため、意図しない照明器具５０２が撮像エリア内に入ってしまうことがある。そして、遮光部材７が設けられていない場合、図１１に示すように、複数の光の粒状の像５０３が、被写体である来訪者Ｍ１の顔周辺部分に重なってしまい、住戸内の通話装置１０を利用する居住者にとっては、来訪者Ｍ１の顔が見難くなるという可能性がある。
【０１２１】
一方、本実施形態のインターホン装置１においては、遮光部材７が器体Ａ１に取り付けられることで、レンズ３０１の上部の領域が遮光される。したがって、被写体（来訪者Ｍ１）の撮像に関する信頼性低下の抑制を図ることができる。また、遮光部材７は、鍔状に形成された構造体７Ａであるため、簡単な構成でありながら、上記信頼性低下の抑制を図ることができる。
【０１２２】
（３）変形例
以下に、いくつかの変形例について列記する。以下では上述した実施形態を「基本例」と呼ぶ。
【０１２３】
（３．１）変形例１
基本例では、遮光部材７の構造体７Ａは、器体Ａ１に取り付けると、器体Ａ１に対して不可動であった。しかし、変形例１の遮光部材７は、図１２Ａ及び図１２Ｂに示すように、器体Ａ１に対して可動に構成されている構造体７Ｂである。この構造体７Ｂは、図１２Ａに示すように、その全体が概ね器体Ａ１から外部に露出する第１位置と、図１２Ｂに示すように、その全体が概ね器体Ａ１内に収容される第２位置との間の範囲で、前後方向にスライド移動するように構成されている。
【０１２４】
構造体７Ｂは、矩形の板状に形成されていて、その前端部において、上方向に突出する摘み部７０４を有している。また、構造体７Ｂの後端部７０５は、左右方向にわたって上方に曲げられて、引掛け部となっている。
【０１２５】
構造体７Ｂの取り付けは、例えば、化粧パネル５を筐体２から取り外して、後端部（引掛け部）７０５が化粧パネル５の切欠凹所７０２よりも後ろに位置するように引っ掛けて、化粧パネル５を筐体２に組み付ければよい。後端部７０５より前方の部位は、筐体２における第１突出台２１０の上端面７０３と、化粧パネル５における切欠凹所７０２内の上面との間で保持される。構造体７Ｂの取り外しは、化粧パネル５を取り外せば容易に行える。
【０１２６】
構造体７Ｂは、摘み部７０４を指先や爪先で引っ掛けて前方に引っ張ることで、前方にスライド移動して器体Ａ１から引き出すことが可能となる。構造体７Ｂは、第１位置（図１２Ａ参照）まで引き出すと、後端部７０５が切欠凹所７０２の上縁に引っ掛かるため、これより前方に移動して脱落してしまうことが抑制されている。また、構造体７Ｂは、その前端部を後方に押し込むことで、器体Ａ１内に引込めることが可能となる（図１２Ｂ参照）。この構成によれば、器体Ａ１に対する構造体７Ｂの突出量が可変となり、遮光範囲の変更を容易に行うことができる。
【０１２７】
詳細な図示は省略するが、構造体７Ｂが第２位置にあるときに構造体７Ｂを収容するための収容スペース（凹所）が、筐体２の前面に設けられている。この収容スペースは、防水面を考慮して、基板４が収容されている空間と連通していないことが望ましい。
【０１２８】
構造体７Ｂは、第１位置と第２位置との間における任意の位置で固定可能なストッパー構造を有していてもよい。
【０１２９】
（３．２）変形例２
基本例の構造体７Ａ及び変形例１の構造体７Ｂの各々の形状は、製造時と使用時とで同じであった。変形例２の構造体７Ｂは、図１３Ａ、１３Ｂ、及び図１４Ａ、１４Ｂに示すように、遮光部材７の製造時では矩形の板状に形成されていて、施工時又は使用時に円弧状又は台形状等の形へと変更可能であってもよい。なお、図１３Ａ、図１３Ｂは、変形例２の構造体７Ｂの平面図を示し、図１４Ａ、図１４Ｂは、別の変形例２の構造体７Ｂの平面図を示している。
【０１３０】
この場合、構造体７Ｂには、予め切り取り線が印刷されているか、又は溝状の切り込み線が形成されていることが望ましい（図１３Ａ中の点線７１４、図１４Ａ中の点線７０７参照）。つまり、インターホン装置１が実際に設置されている環境（照明器具５０２の位置）又は利用者（例えば居住者）の好みに応じて、構造体７Ｂから不要な部位７０８、７０９を切り離して使用されてもよい。このように、遮光部材７の形状を施工時又は使用時等に変更可能とすることで、遮光範囲を適宜に変更可能となり、利便性を向上することができる。
【０１３１】
（３．３）変形例３
変形例１の構造体７Ｂは、器体Ａ１に対して前後方向にスライド可能に構成されていた。この変形例３の構造体７Ｃは、図１５Ａに示すように、その全体が概ね器体Ａ１から外部に露出する第１位置と、図１５Ｂに示すように、その全体が概ね器体Ａ１内に収容される第２位置との間の範囲で、回転可能に構成されている。構造体７Ｃは、上下方向から見たときに、半円形の板状に形成されている。構造体７Ｃは、摘み部７１０と、軸部７１１とを有している。
【０１３２】
軸部７１１は、構造体７Ｃの端面７１２（図１５Ｂにおける前端面）よりもやや後ろで左右方向の中央に配置されていて、上下方向に沿って棒状に突出している。一方、化粧パネル５は、その背面において、構造体７Ｃが回転可能となるように軸部７１１を軸支する軸受け部（不図示）を有している。この変形例３では、固定部７０Ａは、構造体７Ｃの軸部７１１に相当し、被固定部７０Ｂは、当該軸受け部に相当する。軸受け部は、軸部７１１が容易に着脱可能となるように、例えば、上下方向から見たときにＣ字状に形成されていることが好ましい。なお、軸受け部は、化粧パネル５の背面でなく、筐体２の前面に設けられていてもよい。
【０１３３】
摘み部７１０は、構造体７Ｃの端面７１２における左右方向の一方側（図１５Ｂでは左側）の縁近くに配置されていて、当該縁から離れる向きに棒状に突出して形成されている。摘み部７１０は、構造体７Ｃが第１位置及び第２位置のいずれの位置にあるときも、化粧パネル５の切欠凹所７０２内に収まるように、構造体７Ｃと切欠凹所７０２との寸法関係が規定されている。
【０１３４】
摘み部７１０は、構造体７Ｃが第１位置及び第２位置のいずれの位置にあるときも、切欠凹所７０２内において、筐体２の前面に当たるように構成されている。具体的には、構造体７Ｃが第２位置にあるときに摘み部７１０を除く構造体７Ｃの概ね全体が収容されるための収容スペース７１３（凹所）が、筐体２の前面に設けられている。そして、摘み部７１０が収容スペース７１３の周縁に当たることで、構造体７Ｃの回転が規制されている。なお、収容スペース７１３は、防水面を考慮して、基板４が収容されている空間と連通していないことが望ましい。
【０１３５】
構造体７Ｃは、第２位置（図１５Ｂ参照）にあるとき、その端面７１２が化粧パネル５の前面と略面一となるように形成されている。また、このとき摘み部７１０も切欠凹所７０２内に収まっている。したがって、構造体７Ｃが不使用で器体Ａ１内に収容されるとき、構造体７Ｃの存在が目立ち難く、インターホン装置１全体としての外観が損なわれることが抑えられている。
【０１３６】
構造体７Ｃの取り付けは、例えば、化粧パネル５を筐体２から取り外して、化粧パネル５の背面にある軸受け部に、軸部７１１を挿入して、化粧パネル５を筐体２に組み付ければよい。また、構造体７Ｃの取り外しは、化粧パネル５を取り外せば容易に行える。
【０１３７】
構造体７Ｃは、第２位置（図１５Ｂ参照）にあるときに、摘み部７１０を指先や爪先で切欠凹所７０２内から前方に引き出すことで、軸部７１１を回転軸として回転し、器体Ａ１から外部に露出させることが可能となる。構造体７Ｃは、第１位置（図１５Ａ参照）に到達すると、摘み部７１０が切欠凹所７０２の右側に移動して、切欠凹所７０２内における筐体２の前面に接触し、構造体７Ｃの更なる回転が規制される。この構成によれば、器体Ａ１に対する構造体７Ｃの突出量が可変となり、遮光範囲の変更を容易に行うことができる。
【０１３８】
なお、構造体７Ｃは、第１位置（図１５Ａ参照）と、第２位置（図１５Ｂ参照）との間における任意の位置で固定可能なストッパー構造を有していてもよい。
【０１３９】
（３．４）変形例４
基本例及び変形例１〜３では、遮光部材７が鍔状の構造体であった。しかし、遮光部材７は、この限りではなく、例えば図１６に示すように、貼付部材（シール）７Ｄであってもよい。貼付部材７Ｄは、レンズ３０１の表面に直接貼り付けられるように構成されている。
【０１４０】
この構成によれば、遮光部材７が鍔状の構造体である場合に比べて、遮光部材７の製造コストを抑えることができる。また、遮光部材７の取り付け及び取り外しの作業を容易にしつつ、遮光範囲の変更を容易に行うことができる。特に、インターホン装置１が、大きさや形の異なる複数の貼付部材７Ｄを備えていれば、施工業者又は利用者（例えば居住者）が、複数の貼付部材７Ｄの中から適宜に１つ選び、貼り付けることができる。
【０１４１】
なお、この場合、レンズ３０１の上部（又はレンズカバーが在る場合は、レンズカバーの上部）の領域には、貼付部材７Ｄの位置決めが容易となるように、目印となる（例えば溝状の）貼付け部が形成されていてもよい。
【０１４２】
（３．５）その他の変形例
基本例では、遮光部材７の構造体７Ａは、器体Ａ１と別体であり、器体Ａ１に対して着脱可能（取り付け及び取り外し）に構成されていた。しかし、この限りではなく、遮光部材７は、器体Ａ１（筐体２又は化粧パネル５）と一体となって形成されていてもよい。この場合、遮光部材７は、その一部が伸縮可能な伸縮構造（テレスコピック等）を有して、遮光範囲が変更可能であることが好ましい。また、変形例１の構造体７Ｂ及び変形例３の構造体７Ｃも、器体Ａ１に対して着脱可能に構成されていた。しかし、この限りではなく、これらの構造体は、器体Ａ１の筐体２又は化粧パネル５と一体成型品として形成されていて、取り外し不可能であってもよい。
【０１４３】
基本例では、遮光部材７の構造体７Ａの数は１つであった。しかし、インターホン装置１は、例えば鍔の大きさや形の異なる複数の構造体７Ａを備えていてもよい。施工業者又は利用者（例えば居住者）は、複数の構造体７Ａの中から適宜に１つ選び、取り付けを行なってもよい。
【０１４４】
基本例では、構造体７Ａの固定部７０Ａ（後端部７０５及び一対の突起７０６）が固定される被固定部７０Ｂ（収容凹所７００及び挿入孔７０１）が、筐体２のカバー２Ａに設けられていた。しかし、この限りではなく、被固定部７０Ｂは、例えば、化粧パネル５に設けられていてもよい。つまり、化粧パネル５の前面に、収容凹部及び挿入孔が形成されていてもよい。
【０１４５】
基本例では、構造体７Ａの固定部７０Ａを被固定部７０Ｂに差し込むことで固定されていた。しかし、構造体７Ａは、ねじ止め、接着剤、（金属製の部位を有していれば）かしめ固定等により器体Ａ１に固定されてもよい。また、構造体７Ａは、筐体２と化粧パネル５とで挟持されることのみで器体Ａ１に固定されてもよい。
【０１４６】
（４）利点
以上説明したように、第１の態様に係る遮光部材（７）は、インターホン装置（１）におけるレンズ（３０１）の少なくとも一部の領域に対して、遮光する遮光範囲を変更可能に構成されている。インターホン装置（１）は、器体（Ａ１）と、器体（Ａ１）から露出するように配置された上記のレンズ（３０１）を有する撮像部（３０）と、を備える。第１の態様によれば、例えばインターホン装置（１）の近傍に照明器具（５０２）が設置されている場合であっても、遮光部材（７）によって、照明器具（５０２）から放射される光に起因するレンズフレアの発生を抑制することができる。したがって、被写体（来訪者Ｍ１等）の撮像に関する信頼性低下の抑制を図ることができる。
【０１４７】
第２の態様に係る遮光部材（７）は、第１の態様において、鍔状に形成された構造体（７Ａ、７Ｂ、７Ｃ）であることが好ましい。第２の態様によれば、簡単な構成でありながら、被写体（来訪者Ｍ１等）の撮像に関する信頼性低下の抑制を図ることができる。
【０１４８】
第３の態様に係る遮光部材（７）に関して、第２の態様において、構造体（７Ａ、７Ｃ）は、器体（Ａ１）に着脱可能に固定される固定部（７０Ａ）を有していることが好ましい。第３の態様によれば、インターホン装置（１）が設置されている環境、又は利用者の好みに応じて、遮光部材（７）の着脱が可能となる（不要であれば取り外しが可能）。したがって、利便性を向上することができる。
【０１４９】
第４の態様に係る遮光部材（７）に関して、第３の態様において、器体（Ａ１）は、レンズ（３０１）を保持する筐体（２）と、筐体（２）の前面を覆うように配置されるパネル（化粧パネル５）と、を備えることが好ましい。固定部（７０Ａ）が固定される被固定部（７０Ｂ）は、筐体（２）又はパネル（化粧パネル５）に設けられていることが好ましい。第４の態様によれば、遮光部材（７）をインターホン装置（１）に取り付ける（又は取り外す）際の作業が容易となる。したがって、施工性を向上することができる。
【０１５０】
第５の態様に係る遮光部材（７）に関して、第３の態様において、器体（Ａ１）は、レンズ（３０１）を保持する筐体（２）と、筐体（２）の前面を覆うように配置されるパネル（化粧パネル５）と、を備えることが好ましい。固定部（７０Ａ）は、筐体（２）とパネル（化粧パネル５）とで挟持されることが好ましい。第５の態様によれば、遮光部材（７）をインターホン装置（１）に取り付ける（又は取り外す）際の作業が容易となる。例えば、筐体（２）からパネル（化粧パネル５）を取り外すだけで、遮光部材（７）の着脱が可能となる。
【０１５１】
第６の態様に係る遮光部材（７）に関して、第２〜第５の態様のいずれか１つにおいて、構造体（７Ｂ、７Ｃ）は、器体（Ａ１）に対して可動に構成されていることが好ましい。第６の態様によれば、遮光範囲の変更を容易に行うことができる。
【０１５２】
第７の態様に係る遮光部材（７）は、第１の態様において、貼付部材（７Ｄ）であることが好ましい。第７の態様によれば、遮光部材（７）の製造コストを抑えることができる。
【０１５３】
第８の態様に係るインターホン装置（１）は、第１〜第７の態様のいずれか１つにおける遮光部材（７）と、器体（Ａ１）と、撮像部（３０）と、を備える。第８の態様によれば、被写体（来訪者Ｍ１等）の撮像に関する信頼性低下の抑制を図ることができる遮光部材（７）を備えたインターホン装置（１）を提供できる。
【０１５４】
第９の態様に係るインターホン装置（１）は、器体（Ａ１）と、器体（Ａ１）から露出するように配置されたレンズ（３０１）を有する撮像部（３０）と、を備える。器体（Ａ１）は、レンズ（３０１）の少なくとも一部の領域に対して遮光する遮光範囲を変更可能な遮光部材（７）が着脱可能に固定される被固定部（７０Ｂ）を有している。第９の態様によれば、被写体（来訪者Ｍ１等）の撮像に関する信頼性低下の抑制を図ることができる遮光部材（７）の取り付け、及び取り外しが可能なインターホン装置（１）を提供できる。
【０１５５】
第１０の態様に係るインターホンシステム（１００）は、第８又は第９の態様におけるインターホン装置（１）と、インターホン装置（１）と通話可能な通話装置（１０）と、を備える。第１０の態様によれば、被写体（来訪者Ｍ１等）の撮像に関する信頼性低下の抑制を図ることができるインターホンシステム（１００）を提供できる。
【符号の説明】
【０１５６】
１  インターホン装置
Ａ１  器体
２  筐体
５  化粧パネル（パネル）
７  遮光部材
７Ａ、７Ｂ、７Ｃ  構造体
７０Ａ  固定部
７０Ｂ  被固定部
７Ｄ  貼付部材
３０  撮像部
３０１  レンズ
１０  通話装置
１００  インターホンシステム
【図１】
2019087898.tif 000003
【図２】
2019087898.tif 000004
【図３】
2019087898.tif 000005
【図４】
2019087898.tif 000006
【図５】
2019087898.tif 000007
【図６】
2019087898.tif 000008
【図７】
2019087898.tif 000009
【図８】
2019087898.tif 000010
【図９】
2019087898.tif 000011
【図１０】
2019087898.tif 000012
【図１１】
2019087898.tif 000013
【図１２】
2019087898.tif 000014
【図１３】
2019087898.tif 000015
【図１４】
2019087898.tif 000016
【図１５】
2019087898.tif 000017
【図１６】
2019087898.tif 000018